(57)【要約】  【課題】  外壁部への結露を防止でき、また、能力クラスに応じたサイズ変更に対して、新規の金型を製作せずに容易に対応できる空気調和機のドレンパン構造を提供する。  【解決手段】  熱交換器の下部に設けられたドレンパン９は、長手方向に３分割されており、中央部１１と第１端部１２と第２端部１３とから構成される。中央部１１は、合成樹脂の押出成形によって形成されており、露受け皿面１４と送風路面１５との間が中空部１６となっている。中空部１６での断熱効果により、外壁部への結露を防止する。能力クラスによって熱交換器などにサイズの変更がある場合に、中央部１１の長手方向の加工調整にて簡単に対応する。熱交換器からの結露水（ドレン水）は、中央部１１の露受け部１０から、先端に露受けリブ１８が形成された両側の第１端部１２及び第２端部１３の露受け部１０に入り、排水口１９から外部へ排出される。【選択図】      図３
2006145093.tif 000002
【特許請求の範囲】
【請求項１】
熱交換器と、該熱交換器からの結露水を受ける露受け部を有し、前記熱交換器に対向して設けられた長尺のドレンパンとを備えた空気調和機において、前記ドレンパンは中央部と両端部とからなるように長手方向に３分割されており、前記中央部は内部に中空部が形成されていることを特徴とする空気調和機。
【請求項２】
前記中央部は、材料の押出成形またはブロー成形によって形成してあることを特徴とする請求項１に記載の空気調和機。
【請求項３】
前記材料は、非鉄金属または合成樹脂であることを特徴とする請求項２に記載の空気調和機。
【請求項４】
回動して風向を変更する風向変更板と、該風向変更板を回動可能に軸支する支軸部とを備えており、該支軸部を支える支持部を前記中央部に設けてあることを特徴とする請求項１から３のいずれかひとつに記載の空気調和機。
【請求項５】
前記両端部夫々は、前記結露水を外部へ排出する排水口と、前記結露水をせき止めるためのリブとを有することを特徴とする請求項１から４のいずれかひとつに記載の空気調和機。
【請求項６】
自身の運転状況を表示する表示ユニットを前記中央部に対向して固設してあるとともに、前記表示ユニットに接続される配線を収納する溝部を前記中央部に設けてあることを特徴とする請求項１から５のいずれかひとつに記載の空気調和機。
【発明の詳細な説明】
【技術分野】
【０００１】
本発明は、冷房・暖房・除湿・加湿を行う空気調和機に関し、特に、空気調和機のドレンパン構造に関する。
【背景技術】
【０００２】
図４は従来の空気調和機の断面図、図５は図４の空気調和機に設けられたドレンパンの斜視図である。空気調和機１の前面上部に吸込口２が設けられ、空気調和機１の前面下部に吹出口３が設けられ、吸込口２と吹出口３とを結ぶ空気通路に熱交換器４と送風ファン５とが配設されている。吹出口３近傍には、風向変更板６が回動可能に支軸部７に軸支されており、この支軸部７は複数の支柱８で支えられている。熱交換器４の下部にドレンパン９が設けられている。
【０００３】
ドレンパン９は合成樹脂で形成されており、その露受け部１０周辺の表面には、断熱部材が接着材により貼付されている。ドレンパン９は、空気調和機１の吹出口３を構成するケーシング（外部壁）の役目も果たしているため、ドレンパン９の露受け部１０を通過する空気の温度と吸込んだ空気の温度とに差異が生じて外部壁に結露が生じる。そこで、この結露の発生を防止するために、従来例では、ドレンパン９に断熱部材を貼り付けている。
【０００４】
本発明に関連する技術として、ケーシングの上部に空隙を有してドレンパンを設けることにより、この結露発生の問題を解決しようとした空気調和機が提案されている（例えば、特許文献１参照）。
【特許文献１】特開２００１―２０１０８０号公報
【発明の開示】
【発明が解決しようとする課題】
【０００５】
上述した従来例では、断熱部材をドレンパンに貼り付ける構成としているため、各種形状の断熱部材が必要であって高コスト化を招くだけでなく、貼り付ける手間が生じて作業性が悪い上に、貼付け不良による空調効率の低下を招いて結露状態に至る可能性があるという問題がある。
【０００６】
また、空気調和機の能力クラスに応じて、熱交換器等のサイズが変わる場合に、ドレンパンは、断面形状が同等であっても新規の金型が必要であり、その金型製作のために多大な費用と時間とを要するという問題もある。
【０００７】
本発明は斯かる事情に鑑みてなされたものであり、断熱部材を貼ることなく簡単な構成にて、外壁部に結露が生じないようにできる空気調和機を提供することを目的とする。
【０００８】
本発明の他の目的は、能力クラスの大小に応じたサイズ変更に対して、ドレンパン（露受け部）の長手寸法を自在に加工調整できる空気調和機を提供することにある。
【０００９】
本発明の更に他の目的は、ドレンパン内部に容易に中空部を形成できる空気調和機を提供することにある。
【課題を解決するための手段】
【００１０】
本発明に係る空気調和機は、熱交換器と、該熱交換器からの結露水を受ける露受け部を有し、前記熱交換器に対向して設けられた長尺のドレンパンとを備えた空気調和機において、前記ドレンパンは中央部と両端部とからなるように長手方向に３分割されており、前記中央部は内部に中空部が形成されていることを特徴とする。
【００１１】
本発明の空気調和機にあっては、ドレンパンの分割された中央部の内部に中空部が形成されている。この中空部による断熱効果により、外部への熱漏洩を防止する。この結果、露受け部の熱伝導を中空部にて遮断するため、断熱部材を貼ることなく、外部壁への結露を防止する。また、ドレンパンが長手方向に３分割されている。よって、能力クラスに応じて熱交換器等のサイズが変わっても、中央部の長手寸法の加工調整にて容易に対応でき、新規の金型を製作する必要がない。
【００１２】
本発明に係る空気調和機は、前記中央部を、材料の押出成形またはブロー成形によって形成してあることを特徴とする。
【００１３】
本発明の空気調和機にあっては、ドレンパンを押出成形またはブロー成形によって形成する。略同一の断面が長手方向にわたって連なる押出成形にて形成する場合には、部屋状に区画されているドレンパンの断面形状を長手方向に形成して、強度を向上させる。ブロー成形にて中空部を形成する場合には、中空部の周面の強度が増すとともに、中空部の密閉性が高くなる。
【００１４】
本発明に係る空気調和機は、前記材料が、非鉄金属または合成樹脂であることを特徴とする。
【００１５】
本発明の空気調和機にあっては、ドレンパンの中央部（露受け部）を、非鉄金属または合成樹脂にて形成している。よって、結露水に含まれた薬品等により、ドレンパンの中央部（露受け部）が侵されることはない。
【００１６】
本発明に係る空気調和機は、回動して風向を変更する風向変更板と、該風向変更板を回動可能に軸支する支軸部とを備えており、該支軸部を支える支持部を前記中央部に設けてあることを特徴とする。
【００１７】
本発明の空気調和機にあっては、風向変更板を回動可能に軸支する支軸部を支える支持部を、ドレンパンの中央部の任意の位置に取り付けられる。よって、他のモデルとの共通化を図れる。
【００１８】
本発明に係る空気調和機は、前記両端部夫々が、前記結露水を外部へ排出する排水口と、前記結露水をせき止めるためのリブとを有することを特徴とする。
【００１９】
本発明の空気調和機にあっては、分割されたドレンパンの両端部夫々に、ドレンパンの中央部（露受け部）からの結露水を外部へ排出する排水口と、結露水をせき止めるためのリブとを設けている。よって、熱交換器からの結露水が外部に漏れることがなく、水漏れは防止され、効率良く排水を行える。
【００２０】
本発明に係る空気調和機は、自身の運転状況を表示する表示ユニットを前記中央部に対向して固設してあるとともに、前記表示ユニットに接続される配線を収納する溝部を前記中央部に設けてあることを特徴とする。
【００２１】
本発明の空気調和機にあっては、中央部に対向して表示ユニットを固設し、表示ユニットの配線を溝部に収納する。よって、他のモデルとの位置調整の任意な設定が可能であり、また、配線の引き回しが容易となって作業性は向上する。
【発明の効果】
【００２２】
本発明の空気調和機では、ドレンパンを中央部と両端部とからなるように長手方向に３分割し、その中央部の内部に中空部を形成するようにしたので、露受け部の熱伝導を中空部にて遮断して、断熱部材を貼ることなく、外部壁への結露を防止することができるとともに、能力クラスに応じて熱交換器等のサイズが変わっても、中央部の長手寸法の加工調整にて容易に対応でき、新規の金型を製作する必要がなく、低コスト化及び作業の高効率化を図ることができる。
【００２３】
本発明の空気調和機では、ドレンパンを押出成形にて形成するようにしたので、部屋状に区画されているドレンパンの断面形状を長手方向に容易に形成できて、強度を向上させることができる。また、ドレンパンの中空部をブロー成形にて形成するようにしたので、中空部の周面の強度の向上を図れるとともに、中空部の密閉性を高くすることができる。      
【００２４】
本発明の空気調和機では、ドレンパンの中央部を非鉄金属または合成樹脂にて形成するようにしたので、結露水に含まれた薬品等によるドレンパンの中央部の浸食を防止することができる。
【００２５】
本発明の空気調和機では、風向変更板を回動可能に軸支する支軸部を支える支持部を、ドレンパンの中央部の任意の位置に取り付けられるようにしたので、他のモデルとの共通化を図ることができる。
【００２６】
本発明の空気調和機では、分割されたドレンパンの両端部夫々に、ドレンパンの中央部からの結露水を外部へ排出する排水口と、結露水をせき止めるためのリブとを設けるようにしたので、熱交換器からの結露水が外部へ漏れることを防止でき、効率良く排水を行うことができる。
【００２７】
本発明の空気調和機では、表示ユニットをドレンパンの中央部に対向して固設するとともに、表示ユニットに接続される配線を収納する溝部を中央部に設けるようにしたので、他のモデルとの位置調整を任意に設定することができ、また、配線の引き回しを容易に行えて、作業性を向上することができる。
【発明を実施するための最良の形態】
【００２８】
以下、本発明をその実施の形態を示す図面を参照して具体的に説明する。図１は本発明の空気調和機の断面図、図２は本発明の空気調和機の要部断面図、図３は図１，図２の空気調和機に設けられたドレンパンの斜視図である。
【００２９】
空気調和機１の前面上部に吸込口２が設けられ、空気調和機１の前面下部に吹出口３が設けられ、吸込口２と吹出口３とを結ぶ空気通路に熱交換器４と送風ファン５とが配設されている。吹出口３近傍には、風向変更板６が回動可能に支軸部７に軸支されており、この支軸部７は複数の支柱８で支えられている。
【００３０】
熱交換器４の下部にドレンパン９が設けられている。合成樹脂で形成されているドレンパン９は、その長手方向に３分割されており、中央部１１と第１端部１２と第２端部１３とから構成される（図３参照）。このようにドレンパン９が３分割構成をなしているため、能力クラスによって熱交換器４等にサイズの変更がある場合でも、中央部１１の長手方向の加工調整にて簡単に対応することができる。なお、中央部１１の露受け部１０と第１端部１２及び第２端部１３の露受け部１０とは、中央部１１、第１端部１２及び第２端部１３を合体連結させた場合に、連通するようになっている。
【００３１】
熱交換器４の下方に位置する中央部１１は、押出成形によりほぼ全体の断面形状が部屋状に区画された合成樹脂によって形成されている。中央部１１が合成樹脂にて形成されているため、結露水（ドレン水）に含まれた薬品等によって、中央部１１が侵されることがない。中央部１１は、熱交換器４からの結露水を受け取る露受け皿面１４と、送風ファン５によって空気調和機１内に取り入れられた室内空気を前面方向に通過させるための送風路を構成する送風路面１５とを有しており、この露受け皿面１４と送風路面１５との間が中空部１６となっている。ドレンパン９（中央部１１）の断熱効果に関しては、露受け皿面１４と送風路面１５との間の中空部１６により、熱の出入りを少なくして放熱／放冷があまり起こらないようにするため、外壁部への結露を防止することができる。押出成形により中空部１６が形成され、また、断面形状が部屋状に区画されていることにより、中央部１１の強度を向上できる。
【００３２】
支軸部７を支える複数の支柱８は、支柱固定部材１７により中央部１１の送風路面１５に取り付けられている。複数の支柱８は、中央部１１（送風路面１５）の長手方向の任意の位置に取付け可能な形状を有している。よって、これらの複数の支柱８を中央部１１の長手方向の任意の位置に取付け固定できるので、他のモデルの空気調和機とで中央部１１の共通利用が可能となり、低コスト化を図れる。
【００３３】
第１端部１２及び第２端部１３は同様な構成をなしており、露受け部１０の先端には、結露水の進行を妨げる壁としての露受けリブ１８が形成されている。また、露受け部１０には、ホース固定治具２０にて固定されるドレンホース（図示せず）を介して結露水を外部に流出させるための排水口１９が設けられている。
【００３４】
中央部１１の露受け部１０にはこのような排水口が設けられていないため、熱交換器４からの結露水（ドレン水）は、中央部１１の露受け部１０から、その両側の第１端部１２及び第２端部１３の露受け部１０に入り、排水口１９から外部へ排出される。ここで、露受けリブ１８が形成されているため、結露水は、外部へ漏れることがなく、確実に排水口１９から排出される。
【００３５】
なお、第１端部１２と第２端部１３とを射出成形にて加工する場合には、露受けリブ１８及び排水口１９を一体に形成することができるので、不要な金型投資を抑え、製造コストの低減を図ることが可能である。
【００３６】
空気調和機１の下方前面に、空気調和機１の運転状況などを表示する表示ユニット２１が爪部２２により固設されている。また、表示ユニット２１の配線としてのリード線２３がドレンパン９の中央部１１に形成した溝部２４に束ねて収納されている。よって、他モデルとの位置調整を任意に設定でき、かつリード線２３の引回しが容易になり、作業性を向上できる。
【００３７】
中央部１１を合成樹脂のブロー成形によって形成する場合には、中空部１６を構成する露受け皿面１４及び送風路面１５の強度を増することができるとともに、中空部１６の密閉性を高くすることができる。
【００３８】
上述した例では中央部１１を合成樹脂にて形成したが、アルミニウムなどの非鉄金属で形成するようにしても、結露水（ドレン水）に含まれた薬品等の影響を受けることがない。
【００３９】
以上のように本発明によれば、断熱部材をドレンパン９に貼り付けた構造となっていた従来例と異なり、押出成形により中空部１６を内部に形成した中央部１１と、結露水を排出する第１端部１２及び第２端部１３とにて、ドレンパン９を３分割構成とすることにより、中央部１１での熱伝導を中空部１６にて遮断して、外部壁（ケーシング）への結露を防止でき、また、ドレンパン９の強度を向上させることが可能になる。空気調和機１の能力クラス別において、能力の大きさに応じた熱交換器４等の長手方向の大きさの変化に対して、中央部１１の長手方向の加工調整によってドレンパン９の長手寸法を調整できるので、商品展開が大幅に広がり、金型投資の低減にもつながる。中央部１１の内部に中空部１６を形成させる方法として、従来のドレンパン一体型での中空部形成では、設備、形状、金型等の加工上の問題があったが、今回の方法ではそれらの欠点を解消でき、全体的な共通化が可能となる。
【図面の簡単な説明】
【００４０】
【図１】本発明の空気調和機の断面図である。
【図２】本発明の空気調和機の要部断面図である。
【図３】図１，図２の空気調和機に設けられたドレンパンの斜視図である。
【図４】従来の空気調和機の断面図である。
【図５】図４の空気調和機に設けられたドレンパンの斜視図である。
【符号の説明】
【００４１】
１  空気調和機
４  熱交換器
５  送風ファン
６  風向変更板
７  支軸部
８  支柱
９  ドレンパン
１０  露受け部
１１  中央部
１２  第１端部
１３  第２端部
１６  中空部
１８  露受けリブ
１９  排水口
２１  表示ユニット
２３  リード線
２４  溝部
【図１】
2006145093.tif 000003
【図２】
2006145093.tif 000004
【図３】
2006145093.tif 000005
【図４】
2006145093.tif 000006
【図５】
2006145093.tif 000007